(57)【要約】【課題】  記録媒体再生装置におけるディスクを挿排する挿排口を開閉する手段として設けられた扉構造において、引っ張りバネ等の部品を用いることなく、挿排口の開閉を可能にし、部品点数を削減して作業効率を向上した扉構造を実現することを課題とする。【解決手段】  記録媒体再生装置の記録媒体挿排口を開閉する扉構造において、回動可能に軸止された扉本体部と、当該扉本体部に一体形成され、扉開状態時に撓んで前記扉を閉方向に付勢する弾性片とを有することを特徴とする。【選択図】  図１
2005228394.tif 000002
【特許請求の範囲】
【請求項１】
記録媒体再生装置の記録媒体挿排口を開閉する扉構造において、
回動可能に軸止された扉本体部と、当該扉本体部に一体形成され、扉開状態時に撓んで前記扉を閉方向に付勢する弾性片とを有することを特徴とする扉構造。
【請求項２】
前記扉の閉鎖位置は、該扉の回動中間位置であって、
前記弾性片は、第１弁片と第２弁片から構成され、前記扉が閉鎖位置から第１方向に回動した状態では前記第１弁片が撓んで前記扉を付勢し、前記扉が閉鎖位置から第２方向に回動した状態では第２弁片が撓んで前記扉を付勢することを特徴とする請求項１記載の扉構造。
【請求項３】
前記扉の閉鎖位置は、該扉の回動中間位置であって、
前記弾性片の先端は記録媒体再生装置本体側に位置規制されていることを特徴とする請求項１記載の扉構造。
【請求項４】
記録媒体再生装置の記録媒体挿排口を開閉する扉構造において、
前記扉本体部に一体成形された固定片と、記録媒体再生装置本体側に設けられ、前記扉開状態時に前記固定片の押圧により撓んで、前記固定片を介して扉を閉鎖方向に付勢する弾性部材とを有することを特徴とする扉構造。
【発明の詳細な説明】
【技術分野】
【０００１】
本発明は、記録媒体再生装置の扉構造、例えばオーディオ機器におけるディスクを挿排する挿排口を開閉するための扉構造に関する。
【背景技術】
【０００２】
記録媒体再生装置の扉は、例えばオーディオ機器におけるディスクを挿排する挿排口を開閉するために設けられたもので、図６及び図７を参照して、その扉構造を簡単に説明する。図６は従来の記録媒体再生装置における扉構造の一例を示す斜視図で、図７は扉の開口（ディスク挿入時）状態における図６のＣ−Ｃ'断面図である。
【０００３】
記録媒体再生装置における扉構造５０は、前面パネル２の挿排口２ａを開閉するための扉５１と、引っ張りバネ５４、引っ掛け金具５６、支持フレーム５５ａ、５５ｂ等で構成されている。前面パネル２は、樹脂材等で形成され、ディスク７を挿排する挿排口２ａが長方形の形状に形成されている。そして、前面パネル２の裏面には、支持フレーム５５ａ、５５ｂと引っ掛け金具５６がそれぞれ一体成形（又は、取付固定）されている。
【０００４】
扉５１は、前面パネル２の挿排口２ａを開閉するために設けられ、長方形の薄板形状に樹脂材等で成形されている。この扉５１は、その上部の左右端には扉５１の回動軸となる回転支持軸部５２が、さらに左側の回転支持軸部５２には引っ張りバネ５４を引っ掛け保持するためのフック部５３等が、それぞれ一体成形（又は、取付固定）されている。支持フレーム５５ａ、５５ｂは、扉５１の回転支持軸部５２を回転可能に保持するもので、前面パネル２と一体に樹脂材等で成形されている。また、支持フレーム５５ａ、５５ｂには、回転支持軸部５２が挿入される孔が形成されている。引っ掛け金具５６は、引っ張りバネ５４を保持するもので、前面パネル２と一体に樹脂材等で成形されている。引っ張りバネ５４は、扉５１を常に元の閉鎖位置に付勢するもので、コイル巻き状にバネ性（弾性）を有する金属材等で形成されている。
【０００５】
次に、扉構造５０の実装手順について、図６及び図７を参照して説明する。
【０００６】
まず、前面パネル２に設けられた左側の支持フレーム５５ａの挿入孔に、扉５１の左側の回転支持軸部５２を挿入し、扉５１を撓ませた状態にして、右側の支持フレーム５５ｂの挿入孔に扉５１の右側の回転支持軸部５２を挿入し、扉５１を前面パネル２に、回転自在に取付設置する。次に、扉５１に設けられたフック部５３の孔に、引っ張りバネ５４の上側先端部を引っ掛ける。そして、引っ張りバネ５４を引っ張り伸ばした状態にして、引っ張りバネ５４の下側先端部を引っ掛け金具５６の孔に引っ掛ける。これにより、扉５１が、引っ張りバネ５４に引っ張られて、前面パネル２の挿排口２ａを塞ぐ初期の閉鎖位置に、常に付勢される状態となる。
【０００７】
扉構造５０の開口状態における一例について、図７を参照して説明する。
【０００８】
ディスク７が挿排口２ａから挿入されると、扉５１はディスク７に押圧されて反時計方向Ｒ５１に回転する。この回転した扉５１により、引っ張りバネ５４は引っ張られて、縮む方向に力を発生する。このため、扉５１には、左右の回転支持軸部５２を回転支点とし、フック部５３を回転作用点とする回転モーメントが働いて、扉５１には閉鎖方向への力が加わる。即ち、ディスク７が記録媒体再生装置内１に挿入された後の扉５１は、回転モーメントにより、前面パネル２の挿排口２ａを塞ぐ初期の閉鎖位置に付勢されている状態になる。
【特許文献１】特開平８−４５２５７号公報
【発明の開示】
【発明が解決しようとする課題】
【０００９】
以上のように、従来例による扉構造では、引っ張りバネ等の部品が必要となり、また引っ張りバネの組付け等の組立作業に手間がかかる。
【００１０】
本発明は、このような問題を解決するもので、部品点数を削減し、作業効率を向上した扉構造を実現することを課題とする。
【課題を解決するための手段】
【００１１】
上記目的を達成するために、本発明は、記録媒体再生装置の記録媒体挿排口を開閉する扉構造において、回動可能に軸止された扉本体部と、当該本体部に一体形成され、扉開状態時に撓んで前記扉を閉方向に付勢する弾性片とを有することを特徴とするものである。
【００１２】
また、前記扉の閉鎖位置は、該扉の回動中間位置であって、前記弾性片は、第１弁片と第２弁片から構成され、前記扉が閉鎖位置から第１方向に回動した状態では前記第１弁片が撓んで前記扉を付勢し、前記扉が閉鎖位置から第２方向に回動した状態では第２弁片が撓んで前記扉を付勢することを特徴とするものである。
【００１３】
また、前記扉の閉鎖位置は、該扉の回動中間位置であって、前記弾性片の先端は記録媒体再生装置本体側に位置規制されていることを特徴とするものである。
【００１４】
また、記録媒体再生装置の記録媒体挿排口を開閉する扉構造において、前記扉本体部に一体成形された固定片と、記録媒体再生装置本体側に設けられ、前記扉開状態時に前記固定片の押圧により撓んで、前記固定片を介して扉を閉鎖方向に付勢する弾性部材とを有することを特徴とするものである。
【発明の効果】
【００１５】
以上説明したように、本発明による扉構造によれば、引っ張りバネ等の部品を用いることなく扉に閉鎖方向の弾性力を付与する構造としたため、部品点数の削減が図れ、また作業効率の向上を図ることができる。
【発明を実施するための最良の形態】
【００１６】
本発明の一実施の形態について、図面を参照して説明する。
【００１７】
図１は本発明の実施の形態に係る扉構造を示す斜視図で、図２（ａ）は図１のＡ−Ａ'断面図で、図２（ｂ）は図１のＢ−Ｂ'断面図で、図３は図１のＢ−Ｂ'断面図で、（ａ）は記憶媒体挿入時の断面図、（ｂ）は記憶媒体排出時の断面図である。
【００１８】
本発明の扉構造１０は、ディスク７を挿排する挿排口２ａが設けられたオーディオ機器１の前面パネル２に設けられている。この扉構造１０は、挿排口２ａを開閉するためのもので、前面パネル２の挿排口２ａを開閉する扉１１と、扉１１の回動範囲を抑制する当板部材１５ａ、１５ｂと、扉１１を回転自在に保持する支持フレーム１６、１７等で構成されている。
【００１９】
前面パネル２は、車両の取付け箇所に応じた形状、例えば四角型の板形状に樹脂材等で成形されている。この前面パネル２にはディスク７を挿排する挿排口２ａが長方形の形状に形成され、前面パネル２の裏面には支持フレーム１６、１７と当板部材１５ａ、１５ｂ等が前面パネル２と一体成形（又は、取付固定）されている。扉１１は、長方形の薄板形状に樹脂材等で成形されている。この扉１１にはその両端部に扉１１を開閉回転するための回転支持軸部１２ａ、１２ｂが円柱形状に形成されている。また、扉１１の回転支持軸部１２ａ、１２ｂの位置より離間した上部面には左右対称に突出した板形状の弾性を有する弾性片１３、１４がそれぞれ樹脂材等で一体成形（又は、取付固定）されている。
【００２０】
支持フレーム１７は、扉１１を保持するもので、前面パネル２の裏面から突出した板形状に形成されている。そして、この支持フレーム１７に設けられた挿入孔に、扉１１の回転支持軸部１２ｂが挿入される。支持フレーム１６は、扉１１を保持するもので、前面パネル２の裏面から突出して形成され、上部フレーム部１６ａと下部フレーム部１６ｂに分割されて成形されている。この下部フレーム部１６ｂには、扉１１の回転支持軸部１２ａを下側から保持する断面扇形状の溝１６ｃが形成されている。また、上部フレーム部１６ａは回転支持軸部１２ａを下部フレーム部１６ｂと挟持保持するもので、保持用の断面扇形状の溝１６ｄが形成されている。また、上部フレーム部１６ａは回転支持軸部１２ａを挿入し易くするため、先端部が上方向に折り曲げられている。また、上部フレーム部１６ａは、回転支持軸部１２ａが挿入される時に、上部方向に撓むように、バネ性(弾性)を持つ形状及び材質となっている。
【００２１】
当板部材１５ａ、１５ｂは、扉１１の回動を押圧抑制するもので、前面パネル２における弾性片１３、１４に対応する位置に、前面パネル２と樹脂材等で一体成形（ネジ等による取付固定でも可）されている。そして、当板部材１５ａ、１５ｂは、扉１１の弾性片１３、１４が扉１１の回転に伴い、当接して撓むような位置に形成されている。
【００２２】
次に、扉構造１０の実装手順について、図１及び図２を参照して説明する。
【００２３】
前面パネル２の支持フレーム１７の挿入孔に、扉１１の回転支持軸部１２ｂを挿入する。次に、扉１１の回転支持軸部１２ａを支持フレーム１６の上部フレーム部１６ａと下部フレーム部１６ｂとの間に押圧挿入して、下部フレーム部１６ｂの溝部１６ｃと上部フレーム部１６ａの溝部１６ｄ間に挿入し、扉１１を回転自在に保持させる。つまり、回転支持軸部１２ａの押圧挿入により、上部フレーム部１６ａが上部方向に撓んだ状態で回転支持軸部１２ａが溝部１６ｃ、１６ｄの間に入り込んだ後、弾性で上部フレーム部１６ａが復帰し、回転支持軸部１２ａが抜けない状態で保持される。そして、この取付け状態では、扉１１の各弾性片１３、１４の先端部が、前面パネル２の各当板部材１５ａ、１５ｂに当接されている。
【００２４】
次に、扉構造１０の動作について、図３を参照して説明する。
【００２５】
ディスク７が挿入（Ｐ１１方向）される時の扉１１は、図３（ａ）に示すように、ディスク７に押圧されて、反時計方向Ｒ１１に回転する。この回転により、扉１１に設けられた弾性片１３、１４の先端部が当板部材１５ａ、１５ｂに押圧されて撓む。この撓みによる復帰力により、扉１１には回転支持軸部１２の中心を回転支点とし、弾性片１３、１４と当板部材１５ａ、１５ｂの接点Ａ１１を回転作用点とする回転モーメントが加わるため、扉１１が閉鎖位置方向（Ｍ１１）に付勢されることになる。従って、ディスク７が装置内に完全に挿入され、扉１１に対するディスク７による回転抑制が無くなったときには、回転モーメントにより、扉１１は閉鎖位置に回転移動する。
【００２６】
ディスク７が排出（Ｐ１２方向）される時の扉１１は、図４（ｂ）に示すように、ディスク７により押圧されて、時計方向Ｒ１２に回転する。この回転により、扉１１に設けられた弾性片１３、１４の先端部は当板部材１５ａ、１５ｂに押圧されて撓む。この撓みによる復帰力により、扉１１には回転支持軸部１２の中心を回転支点とし、弾性片１３、１４と当板部材１５ａ、１５ｂの接点Ａ１２を回転作用点とする回転モーメントが加わるため、扉１１が閉鎖位置方向（Ｍ１２）に付勢されることになる。従って、ディスク７が装置外に完全に排出され、扉１１に対するディスク７による回転抑制が無くなったときには、回転モーメントにより、扉１１は閉鎖位置に回転移動する。
【００２７】
尚、本実施形態の扉構造１０では、扉１１の上部面に弾性片１３、１４を配設しているが、これにこだわることなく、弾性片１３、１４を回転支持軸部１２ａ、１２ｂの上部に配設しても良い。
【００２８】
また、本実施形態の扉構造１０は、オーディオ機器のディスク挿排口に用いているが、ディスク以外の記録媒体、例えば磁気テープカセット等の再生装置にも適用できる。
【００２９】
また、本実施形態の扉構造１０では、挿入排出口に用いているが、挿入又は排出の一方だけを行う挿入口、あるいは排出口にも適用できる。
【００３０】
また、本実施形態の扉構造１０では、前面パネル２の挿排口２ａを塞ぐ閉鎖状態において、弾性片１３、１４が当板部材１５ａ、１５ｂに当接状態となり、位置決めされているが、これにこだわることなく、閉鎖状態において、隙間をもたせるようにしても良い。
【００３１】
以上のように、本実施形態における扉構造１０では、弾性片１３、１４の撓みによる弾性力で扉１１を閉鎖位置に復帰させるようにしたので、コイルバネ等の復帰用弾性部品が不要となり、部品点数を少なくすることができると共に、組立作業効率が向上できる。
【００３２】
また、扉１１が前面パネル２の挿排口２ａを塞ぐ閉鎖状態において、弾性片１３、１４が当板部材１５ａ、１５ｂにそれぞれ押圧され、若干撓んでバイアス力がかかった状態のため、扉１１が閉鎖状態で安定しており、また扉１１の閉鎖位置からの僅かな動きに対して、扉１１に充分な大きさの弾性復帰力が働くこととなる。
【実施例１】
【００３３】
次に、本発明の実施例１の扉構造２０について、図面を参照して説明する。
【００３４】
図４は本発明の実施例１の扉構造の扉開口状態を示す断面図で、（ａ）は記録媒体挿入時の断面図、（ｂ）は記録媒体排出時の断面図である。尚、図４による断面図は、図１のＢ−Ｂ'切断面に相当する位置の断面を示すものである。また、本実施例１の扉構造２０は、扉構造１０の一部を変更したものなので、扉２１の開閉回動に関わる扉２１の弾性片２３、２４と支持ホルダ２６等の構成、及びその機能についてのみ説明し、扉構造１０と同じ構成品については同じ符号を付して説明を省略する。
【００３５】
扉２１は、長方形の薄板形状に樹脂材等で成形されている。この扉２１には、その両端部にそれぞれ回転支持軸部２２が円柱形状に形成されている。また、扉２１の各回転支持軸部２２の位置より離間した上部面の中央近傍には、突出した平板形状の弾性を有する弾性片２３、２４がそれぞれ樹脂材等で一体成形（又は、取付固定）されている。
【００３６】
支持ホルダ２６には、両側にテーパー面を有するスライド溝部２６ａが形成され、前面パネル２に設けられた支持フレーム２５に樹脂材等で一体成形（又は、取付固定）されている。このスライド溝部２６ａは、扉２１の弾性片２３、２４がスライド可能に嵌め込まれて弾性片２３、２４を当接保持し、扉２１の回転時に、弾性片２３、２４を撓ませ、弾性片２３、２４の撓みによる復帰反力で扉２１を閉鎖位置に付勢するものである。
【００３７】
次に、扉構造２０の動作について、図４を参照して説明する。
【００３８】
ディスク７が挿入（Ｐ２１方向）される時の扉２１は、図４（ａ）に示すように、ディスク７に押圧されて、反時計方向Ｒ２１に回転する。この回転により、扉２１に設けられた弾性片２３、２４が支持ホルダ２６のスライド溝部２６ａの左側のテーパー面に押圧されて撓む。この撓みによる復帰力により、扉２１には回転支持軸部２２の中心を回転支点とし、弾性片２３、２４とスライド溝部２６ａの左側のテーパー面との接点を回転作用点とする回転モーメントが加わるため、扉２１が閉鎖位置方向（Ｍ２１）に付勢されることになる。
【００３９】
従って、ディスク７が装置内に完全に挿入され、扉２１に対するディスク７による回転抑制が無くなった時に、扉２１は閉鎖位置に回転移動する。
【００４０】
ディスク７が排出（Ｐ２２方向）される時の扉２１は、図５（ｂ）に示すように、ディスク７に押圧されて、時計方向Ｒ２２に回転する。この回転により、扉２１に設けられた弾性片２３、２４が支持ホルダ２６のスライド溝部２６ａの右側のテーパー面に押圧されて撓まされる。この撓みによる復帰力により、扉２１には回転支持軸部２２の中心を回転支点とし、弾性片２３、２４とスライド溝部２６ａの右側のテーパー面との接点を回転作用点とする回転モーメントが加わるため、扉２１が閉鎖位置方向（Ｍ２２）に付勢されることになる。
【００４１】
従って、ディスク７が装置外に完全に排出され、扉２１に対するディスク７による回転抑制が無くなった時に、扉２１は閉鎖位置に回転移動する。
【００４２】
尚、本実施例１の扉構造２０では、動きを滑らかにするため、支持ホルダ２６のスライド溝部２６ａにテーパー面を設けているが、これにこだわることなく、弾性片２３、２４を嵌め込んで、スライドを可能にできる他の形状にしても良く、またスライドできるように固定する構造でも弾性片２３、２４の大きさや形状により実施できる。
【００４３】
また、本実施例１の扉構造２０は、図１に示す扉構造１０と同様の変形例が可能である。
【実施例２】
【００４４】
次に、実施例２の扉構造３０について、図面を参照して説明する。
【００４５】
図５は本実施例２の扉構造３０の扉開口状態を示す断面図で、（ａ）は記録媒体挿入時の断面図、（ｂ）は記録媒体排出時の断面図である。尚、図５による断面図は、図１のＢ−Ｂ'切断面に相当する位置の断面を示すものである。また、本実施例２の扉構造３０は、実施例１の扉構造２０の一部を変更したものなので、扉３１の開閉回動に関わる固定片３３、３４が設けられた扉３１と弾性体３７ａ、３７ｂ等の構成とその機能についてのみ説明し、扉構造２０と同じ構成品については同じ符号を付して説明を省略する。
【００４６】
扉３１は、長方形の薄板形状に樹脂材等で成形されている。この扉３１には、その両端部にそれぞれ回転支持軸部３２が円柱形状に形成されている。また、扉３１の各回転支持軸部３２の位置より離間した上部面の中央近傍には平板形状の固定片３３、３４（材質は特に弾性を必要としないもの）がそれぞれ樹脂材等で一体成形（又は、取付固定）されている。
【００４７】
弾性体３７ａ、３７ｂは、例えば、弾性を有するゴム系の材質等で成形されており、保持金具３６ａ、３６ｂにより前面パネル２に設けられた支持フレーム３５に取付固定されている。この弾性体３７ａ、３７ｂは、扉３１の固定片３３、３４を左側の弾性体３７ａと右側の弾性体３７ｂとで挟み込んで保持し、扉３１の回転時に、固定片３３、３４の押圧で撓まされた復帰反力で扉３１を閉鎖位置方向に付勢するものである。
【００４８】
尚、本実施例２の扉構造３０における固定片３３、３４の材質は、固定片３３、３４を保持抑制する弾性体３７ａ、３７ｂにバネ性を持たせているため、特に弾性を必要としない平板形状の樹脂材等を用いているが、これにこだわることなく、固定片３３、３４の材質にもバネ性を持たせ、扉３１への付勢弾性力を強化するようにしても良い。
【００４９】
次に、扉構造３０の動作の一例について、図５を参照して説明する。
【００５０】
ディスク７が挿入（Ｐ３１方向）される時の扉３１は、図６（ａ）に示すように、ディスク７に押圧されて、反時計方向Ｒ３１に回転する。この回転により、弾性体３７ａが扉３１の固定片３３、３４に押圧されて撓まされる。この撓みによる復帰力により、扉３１には回転支持軸部３２の中心を回転支点とし、固定片３３、３４と弾性体３７ａの押圧された面との接点を回転作用点とする回転モーメントが加わるため、扉３１が閉鎖位置方向（Ｍ３１）に付勢されることになる。
【００５１】
従って、ディスク７が装置内に完全に挿入され、扉３１に対するディスク７による回転抑制がなくなった時には、回転モーメントにより、扉３１は閉鎖位置に回転移動する。
【００５２】
ディスク７が排出（Ｐ３２方向）される時の扉３１は、図６（ｂ）に示すように、ディスク７に押圧されて、時計方向Ｒ３２に回転する。この回転により、右側の弾性体３７ｂが扉３１の固定片３３、３４に押圧されて撓まされる。この撓による復帰力により、扉３１には回転支持軸部３２の中心を回転支点とし、固定片３３、３４と弾性体３７ｂの押圧された面との接点を回転作用点とする回転モーメントが加わるため、扉３１が閉鎖位置方向（Ｍ３２）に付勢されることになる。
【００５３】
従って、ディスク７が装置外に完全に排出され、扉３１に対するディスク７による回転抑制が無くなった時には、回転モーメントにより、扉３１は閉鎖位置に回転する。
【００５４】
尚、本実施例２の扉構造３０は、図１に示す扉構造１０と同様の変形例が可能である。
【図面の簡単な説明】
【００５５】
【図１】本発明の実施の形態に係る扉構造を示す斜視図である。
【図２】図１のＡ−Ａ'断面図とＢ−Ｂ'断面図である。
【図３】本発明の実施の形態に係る扉構造の扉開口状態を示す図1のＢ−Ｂ'断面図である。
【図４】本発明の実施例１の扉構造の扉開口状態を示す断面図である。
【図５】本発明の実施例２の扉構造の扉開口状態を示す断面図である。
【図６】従来の記録媒体再生装置における扉構造の一例を示す斜視図である。
【図７】扉開口（記録媒体挿入時）状態における図６のＣ−Ｃ'断面図である。
【符号の説明】
【００５６】
１・・・オーディオ機器
２・・・前面パネル
７・・・記録媒体
１０、２０、３０、５０・・・扉構造
１１、２１、３１、５１・・・扉
１２、２２、３２、５２・・・回転支持軸部
１３、１４、２３、２４・・・弾性片
１５・・・当板部材
１６、１７・・・支持フレーム
２５、３５・・・支持フレーム
２６・・・保持部材
３３、３４・・・固定片
３６・・・保持金具
３７・・・弾性体
５３・・・フック部
５４・・・引っ張りバネ
５５・・・支持フレーム
５６・・・引っ掛け金具
【図１】
2005228394.tif 000003
【図２】
2005228394.tif 000004
【図３】
2005228394.tif 000005
【図４】
2005228394.tif 000006
【図５】
2005228394.tif 000007
【図６】
2005228394.tif 000008
【図７】
2005228394.tif 000009